(57)【特許請求の範囲】
【請求項１】
穀類の揚上搬送部と、揚上搬送部から搬入される穀類を一旦貯留して穀類の単位時間当たり流出量を一定に保つタンクを備え、タンクの流出口から収納袋または容器に穀類を充填する穀類充填機において、タンク内の穀類搬入方向と対面する壁面に沿わせて緩衝板を配設し、揚上搬送部から搬入される穀類を、上記緩衝板に衝突させて衝撃を緩和したうえ流出口に向けて分散状に流下案内させることを特徴とする穀類充填機のタンク構造。
【発明の詳細な説明】
【０００１】
【発明の属する技術分野】
本発明は、穀類を収納袋または容器に充填する穀類充填機において、充填する穀類の単位時間当たり流出量を一定に保つために備えるタンクの構造に関する。
【０００２】
【従来の技術】
籾摺機等から供給される穀類を粒状選別して屑粒等を分離除去する縦型穀類選別機は、特開平２−２３８８１４号公報、または特開平２−２７３１１７号公報に記載されているものなどが知られている。この縦型穀類選別機は、穀類を粒状選別しながら揚上搬送される穀類を一旦貯留するタンクを備えており、タンクの流出口から収納袋に穀類を充填する構造となっている。
【０００３】
【発明が解決しようとする課題】
ところで、上記公報に記載されているような縦型穀類選別機や図４に示すような穀類充填機にあっては、揚上搬送される穀類を一旦タンクに貯留することで、タンクの流出口から流出させる単位時間当たり穀類の流出量を一定に保って収納袋や容器に充填するが、タンク流出口からの流出量を常時一定に保たせるには、タンク内において流出口の上方部位に穀類が偏ることなく適度に滞留していなければならない。
【０００４】
すなわち、図４に示すように、昇降機からなる揚上搬送部ａからタンクｂに搬入される穀類ｃは、揚上搬送部ａの搬入口と対向するタンクｂの壁面に勢いよく衝突するが、タンクｂの壁面は金属や硬質プラスチックで構成されているので、衝突した壁面から反対側の壁面に向けて穀類が強く跳ね返って落下し、流出口ｄの上方部位ｅに穀類が所要の層厚に滞留しない場合が生じてしまい、その結果、流出口から流出する穀類の単位時間当たり流出量を常に一定に保つことができないという問題があった。
【０００５】
また、タンクの流出口の内面および流出口に至る部分の内面には穀類の油分や糠分などの粘性物が付着堆積しやすく、その粘性物が穀類の流出抵抗となって、穀類の単位時間当たり流出量を一定に保つことができなくなることも問題点として指摘されている。
【０００６】
さらに、白米のように表面摩擦抵抗が大きい穀類の場合には、穀類がタンクの流出口から流出する過程で、穀類が互いに摩擦し合い、穀類の単位時間当たり流出量が一定に保たれないという現象を呈することも問題点として指摘されている。
【０００７】
そこで、本発明の目的は、穀類の揚上搬送部と、揚上搬送部から搬入される穀類を一旦貯留するタンクを備え、タンクの流出口から収納袋または容器に穀類を充填する穀類充填機において、タンクの流出口から流出させる穀類の単位時間当たり流出量を常時一定に保って、穀類の充填作業を円滑に、しかも的確に行うことができるようにするタンク構造を提供することにある。
【０００８】
【課題を解決するための手段】
上記目的を達成するため、本発明は、穀類の揚上搬送部と、揚上搬送部から搬入される穀類を一旦貯留して流出口から流出させる穀類の単位時間当たり流出量を一定に保つタンクを備え、タンクの流出口から収納袋または容器に穀類を充填する穀類充填機において、タンク内の穀類搬入方向と対面する壁面に沿わせて緩衝板を配設し、揚上搬送部から搬入される穀類を、上記緩衝板に衝突させて衝撃を緩和したうえ流出口に向けて分散状に流下案内させることを特徴とする穀類充填機のタンク構造を提供するものである。
【０００９】
【発明の実施の形態】
図１ないし図３は、本発明に係る穀類充填機の一実施の形態を示し、図１はその全体斜視図、図２は同じく一部を破断して示す側面図、図３は図２の作用説明図である。
【００１０】
図１ないし図３において、１は穀類充填機である。この穀類充填機１は、昇降機からなる穀類の揚上搬送部２と、揚上搬送部２で選別された穀類を一旦貯留するタンク３を備えてなるものである。タンク３は、揚上搬送部２の上部の穀類搬出側に取り付けられており、揚上搬送部２で揚上搬送される穀類は、タンク３内に放擲状に搬入され、一旦貯留される。タンク３の下部には、流出口４が設けられており、流出口４の上方部位は、容積を小さくした穀類滞留部５をなしている。流出口４には、自動開閉制御されるシャッタ６が備えられている。７はシャッタ６の開閉部である。
【００１１】
タンク３は、金属板または硬質のプラスチック板で構成されており、タンク３内には、その穀類搬入方向と対面する壁面、すなわち前面壁８に沿って穀類の衝突による衝撃を緩和する緩衝板９が垂下状に配設されている。この緩衝板９は、厚手の綿布などのように可撓性を有する板状体である。緩衝板９は、第一義的に、揚上搬送部２から勢いよく放擲状に搬入される穀類の衝突による衝撃を緩和して穀類を分散状に流下させるものであり、第二義的に穀類の衝突に起因して発生する騒音の発生を抑制するものであるから、穀類の衝突による衝撃の緩和をいっそう効果的にするため、多孔状、網目状または波形状とするほか、互いに性状の異なる材料を積層した多層構造の板状体とするなど、緩衝効果を向上させ、かつ騒音の低減を図ることができる種々の実施形態が考えられる。
【００１２】
タンク３の前面壁８の緩衝板９と対向する部位には、多数の空気導入孔１０があけられていて、前面壁８のその部位は外部空気導入面１１をなしている。また、タンク３の上面壁１２には、換気口１３を設けて内部空気の換気面１４をなしている。換気口１３は、その開口が横向きとなるように鎧戸状のカバー部を有している。なお、タンク３の換気面１４は、上部に位置していればよいので、その上面壁１２のほか側面壁の上部に設けてもよく、また両方に設けてもよい。
【００１３】
タンク３の上面壁１２には、緩衝板９が位置する部位に対応させて開き窓１５を設けてあり、この開き窓１５は開閉蓋１６により開閉自在である。開き窓１５は、タンク３内の清掃のほか、緩衝板９の交換などの場合に利用するものであるが、開閉蓋１６を開くことによりタンク３内の明かり取りになるので、タンク３の内部壁面を清掃したり、緩衝板９の交換作業において便利である。また、前面壁８の下部には透明な覗き窓１７が設けられている。この覗き窓１７は帯電防止処理を施した透明板で構成され、開閉自在である。
【００１４】
図１に示すように、タンク３の流出口４に近い両側壁面に、開閉自在の窓１８が設けられている。この窓１８は帯電防止処理を施した透明板で構成され、開閉自在である。したがって、開閉自在の窓１８を開けて、タンク３の流出口４に至る内壁面に付着堆積する粘性物を除去することが可能である。この際、上面壁１２の開き窓１５を開けばそれが上方からの明かり取りになるので、作業を容易かつ的確にできる。なお、粘性物は、穀類の油分（白米の場合は米糠油）、糠分などが混合して堆積層をなしたり、鼠の糞のように粒状に固化するものである。流出口４に至る内壁面に粘性物の付着層が生じると、それにより穀類の流下抵抗が増大して穀類の流出が妨げられるので、その単位時間当たり流出量を一定に保つうえで適時に除去する必要がある。また、粘性物の固化粒が穀類に混入すると、穀類の品質低下をきたして商品価値が著しく損なわれるので、粘性物を固化が生じる前に確実に除去することが肝要である。
【００１５】
以上のように構成された穀類充填機１において、揚上搬送部２で揚上搬送される穀類は、図３に示すように、タンク３内に勢いよく放擲状に搬入される。そして、タンク３内において、搬入される穀類は緩衝板９によって衝撃が緩和され、均等な分散状をなして流出口４の方向に流下するので、流出口４の上方部位の穀類滞留部５には穀類が均等にしかも所要の層厚に滞留する。このため、流出口４からの流出量が常時一定に保たれる。また、タンク３内に搬入される穀類は、緩衝板９により遮られてタンク３の前面壁８に衝突しないので、穀類の搬入に伴う騒音の発生が大きく抑制されるうえ、搬入される穀類は、緩衝板９によって衝撃が緩和されることで、砕け粒の発生も防止される。
【００１６】
一方、揚上搬送部２で選別中の穀類は、搬送中の摩擦によって温度が上昇するので、タンク３内は温度の高い穀類の搬入により温度が高い状態となるが、タンク３内における空気の対流により前面壁８の外部空気導入面１１から温度の低い外部空気が導入され、タンク３内の空気は上部の換気面１４から換気されるので、タンク３内の温度上昇が抑制される。このため、タンク３に貯留する穀類の品質劣化を防止することができる。
【００１７】
【発明の効果】
本発明によれば、穀類の揚上搬送部と、揚上搬送部から搬入される穀類を一旦貯留するタンクを備え、タンクの流出口から収納袋または容器に穀類を充填する穀類充填機において、タンクの流出口から流出させる穀類の単位時間当たり流出量を常時一定に保って、穀類の充填作業を円滑に、しかも的確に行うことができる効果が得られるとともに、タンク内において穀類の搬入に伴う騒音の発生が大きく抑制されるうえ、砕け粒の発生も防止できる効果が得られる。
【図面の簡単な説明】
【図１】  本発明の一実施の形態に係る穀類充填機の全体斜視図である。
【図２】  図１の一部を破断して示す側面図である。
【図３】  図２の作用説明図である。
【図４】  従来の穀類充填機の作用を説明する一部を破断した側面図である。
【符号の説明】
１  穀類充填機
２  揚上搬送部
３  タンク
４  流出口
５  穀類滞留部
６  シャッタ
７  開閉部
８  前面壁
９  緩衝板
１０  空気導入孔
１１  外部空気導入面
１２  上面壁
１３  換気口
１４  換気面
１５  開き窓
１６  開閉蓋
１７  覗き窓
１８  開閉自在の窓
【図１】
0004059936.tif 000002
【図２】
0004059936.tif 000003
【図３】
0004059936.tif 000004
【図４】
0004059936.tif 000005